(57)【要約】【課題】端子の組付及びハウジング同士の嵌合における弾性片の過度な変形を防止し、端子と相手端子との導通不良を防止することができるコネクタを提供する。【解決手段】接触部３が設けられた弾性片５を有する端子７と、第１ハウジング９と、第２ハウジング１１と、接触部３に接触される被接触部１３を有する相手端子１５とを備えたコネクタ１において、第１ハウジング９に、ロック部１９を揺動可能に設け、第２ハウジング１１に、リブ２１を延設させ、第１ハウジング９と第２ハウジング１１とが正規嵌合状態となるまでの間にロック部１９の揺動により端子７の配置位置を変動させて接触部３と基部２３との間にリブ２１を挿入させ、第１ハウジング９と第２ハウジング１１とが正規嵌合状態となったときにロック部１９の揺動により端子７の配置位置を変動させて接触部３を相手端子１５の被接触部１３に接触させた。【選択図】図４
2014225398.tif 000002
【特許請求の範囲】
【請求項１】
接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、
前記第１ハウジングには、前記端子を支持し前記第１ハウジングと前記第２ハウジングとの正規嵌合状態で前記第２ハウジングに設けられた被ロック部に係止されるロック部が揺動可能に設けられ、
前記第２ハウジングには、前記相手端子の被接触部を支持し前記第１ハウジングへの嵌合方向下流側に向けてリブが延設され、
前記端子は、前記接触部と対向して配置され前記弾性片と一体に設けられて前記ロック部に支持される基部を有し、
前記端子は、前記第１ハウジングと前記第２ハウジングとが正規嵌合状態となるまでの間に前記ロック部の揺動により配置位置が変動されて前記接触部と前記基部との間に前記リブが挿入され、前記第１ハウジングと前記第２ハウジングとが正規嵌合状態となったときに前記ロック部の揺動により配置位置が変動されて前記接触部が前記相手端子の被接触部に接触されることを特徴とするコネクタ。
【請求項２】
請求項１記載のコネクタであって、
前記相手端子の被接触部は、前記端子の接触部との接触面を下向きにして前記リブに支持されていることを特徴とするコネクタ。
【発明の詳細な説明】
【技術分野】
【０００１】
本発明は、弾性片を有する端子を備えたコネクタに関する。
【背景技術】
【０００２】
従来、コネクタとしては、接触部が設けられた弾性片を有する端子としての嵌合検知部材と、この嵌合検知部材を収容する第１ハウジングと、この第１ハウジングに嵌合可能な第２ハウジングと、この第２ハウジングに収容され第１ハウジングと第２ハウジングとの正規嵌合状態で弾性片の付勢力により接触部に接触される被接触部を有する相手端子としての嵌合検知コンタクトとを備えたものが知られている（例えば、特許文献１参照）。
【０００３】
このコネクタでは、第１ハウジングと第２ハウジングとを嵌合させ、嵌合検知部材の接触部と嵌合検知コンタクトの被接触部との接触により第１ハウジングと第２ハウジングとの正規嵌合状態を検知することができる。
【０００４】
上記特許文献１のコネクタでは、第１ハウジングに、第１ハウジングと第２ハウジングとの正規嵌合状態で第２ハウジングに設けられた被ロック部としての嵌合突部に係止されるロック部としての弾性嵌合レバーが揺動可能に設けられている。
【０００５】
この弾性嵌合レバーには、固定端部側に嵌合検知部材の基部が嵌装され、先端側に嵌合検知部材の弾性片の先端部が弾性片の付勢力によって付勢されながら当接されている。
【先行技術文献】
【特許文献】
【０００６】
【特許文献１】特開平８−２２８７３号公報
【発明の概要】
【発明が解決しようとする課題】
【０００７】
しかしながら、上記特許文献１のようなコネクタでは、端子が弾性片の付勢力によってロック部を付勢しながらロック部に支持されているので、弾性片の付勢力に抗して弾性片を変位させながら端子をロック部に配置させることがあり、弾性片に過度な変形が生じ、相手端子との導通不良が発生する恐れがあった。
【０００８】
一方、上記特許文献１のようなコネクタでは、第１ハウジングと第２ハウジングとの嵌合時に、端子の弾性片がロック部の揺動によって弾性片の付勢力に抗して変位され、第１ハウジングと第２ハウジングとの正規嵌合状態で弾性片が付勢力によって復元されて接触部が相手端子の被接触部に接触される。
【０００９】
このように端子の接触部と相手端子の被接触部との接触を弾性片の変位によって行うと、端子の組付時と同様に、弾性片に過度な変形が生じる恐れがあり、端子と相手端子との導通不良が発生する恐れがあった。
【００１０】
そこで、この発明は、端子の組付及びハウジング同士の嵌合における弾性片の過度な変形を防止し、端子と相手端子との導通不良を防止することができるコネクタの提供を目的としている。
【課題を解決するための手段】
【００１１】
請求項１記載の発明は、接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、前記第１ハウジングには、前記端子を支持し前記第１ハウジングと前記第２ハウジングとの正規嵌合状態で前記第２ハウジングに設けられた被ロック部に係止されるロック部が揺動可能に設けられ、前記第２ハウジングには、前記相手端子の被接触部を支持し前記第１ハウジングへの嵌合方向下流側に向けてリブが延設され、前記端子は、前記接触部と対向して配置され前記弾性片と一体に設けられて前記ロック部に支持される基部を有し、前記端子は、前記第１ハウジングと前記第２ハウジングとが正規嵌合状態となるまでの間に前記ロック部の揺動により配置位置が変動されて前記接触部と前記基部との間に前記リブが挿入され、前記第１ハウジングと前記第２ハウジングとが正規嵌合状態となったときに前記ロック部の揺動により配置位置が変動されて前記接触部が前記相手端子の被接触部に接触されることを特徴とする。
【００１２】
このコネクタでは、ロック部の揺動による端子の配置位置の変動によって接触部が相手端子の被接触部に接触されるので、第１ハウジングと第２ハウジングとの嵌合時に端子の弾性片を変位させる必要がなく、ハウジング同士の嵌合における弾性片の過度な変形を防止することができる。
【００１３】
また、第１ハウジングには、端子の弾性片を変位させる部分を設ける必要がないので、端子の組付時に弾性片と干渉する部分がなく、端子の組付における弾性片の過度な変形を防止することができる。
【００１４】
さらに、第１ハウジングと第２ハウジングとの嵌合では、ロック部に弾性片の付勢力が入力される部分がないので、ハウジング同士の嵌合操作力を低減させることができる。
【００１５】
従って、このようなコネクタでは、端子の組付及びハウジング同士の嵌合における弾性片の過度な変形を防止し、端子と相手端子との導通不良を防止することができる。
【００１６】
請求項２記載の発明は、請求項１記載のコネクタであって、前記相手端子の被接触部は、前記端子の接触部との接触面を下向きにして前記リブに支持されていることを特徴とする。
【００１７】
このコネクタでは、相手端子の被接触部が端子の接触部との接触面を下向きにしてリブに支持されているので、相手端子の被接触部の接触面に埃などが付着することを抑制でき、端子の接触部と相手端子の被接触部との間の不純物介在による導通不良を防止することができる。
【発明の効果】
【００１８】
本発明によれば、端子の組付及びハウジング同士の嵌合における弾性片の過度な変形を防止し、端子と相手端子との導通不良を防止することができるコネクタを提供することができるという効果を奏する。
【図面の簡単な説明】
【００１９】
【図１】本発明の実施の形態に係るコネクタの斜視図である。
【図２】本発明の実施の形態に係るコネクタの第１ハウジングの断面図である。
【図３】（ａ）は本発明の実施の形態に係るコネクタの第２ハウジングの断面図である。（ｂ）は図３（ａ）の要部拡大図である。
【図４】本発明の実施の形態に係るコネクタの第１ハウジングと第２ハウジングとの嵌合途中における断面図である。
【図５】本発明の実施の形態に係るコネクタの第１ハウジングと第２ハウジングとの嵌合完了における断面図である。
【図６】本発明の実施の形態に係るコネクタの第１ハウジングに端子を組付けるときの断面図である。
【発明を実施するための形態】
【００２０】
図１〜図６を用いて本発明の実施の形態に係るコネクタについて説明する。
【００２１】
本実施の形態に係るコネクタ１は、接触部３が設けられた弾性片５を有する端子７と、この端子７を収容する第１ハウジング９と、この第１ハウジング９に嵌合可能な第２ハウジング１１と、この第２ハウジング１１に収容され第１ハウジング９と第２ハウジング１１との正規嵌合状態で弾性片５の付勢力により接触部３に接触される被接触部１３を有する相手端子１５とを備えている。
【００２２】
また、第１ハウジング９には、端子７を支持し第１ハウジング９と第２ハウジング１１との正規嵌合状態で第２ハウジング１１に設けられた被ロック部１７に係止されるロック部１９が揺動可能に設けられている。
【００２３】
さらに、第２ハウジング１１には、相手端子１５の被接触部１３を支持し第１ハウジング９への嵌合方向下流側に向けてリブ２１が延設されている。
【００２４】
また、端子７は、接触部３と対向して配置され弾性片５と一体に設けられてロック部１９に支持される基部２３を有する。
【００２５】
そして、端子７は、第１ハウジング９と第２ハウジング１１とが正規嵌合状態となるまでの間にロック部１９の揺動により配置位置が変動されて接触部３と基部２３との間にリブ２１が挿入され、第１ハウジング９と第２ハウジング１１とが正規嵌合状態となったときにロック部１９の揺動により配置位置が変動されて接触部３が相手端子１５の被接触部１３に接触される。
【００２６】
また、相手端子１５の被接触部１３は、端子７の接触部３との接触面を下向きにしてリブ２１に支持されている。
【００２７】
なお、本実施の形態に係るコネクタ１は、第１ハウジング９と第２ハウジング１１とを嵌合させ、接触部３と被接触部１３との接触により第１ハウジング９と第２ハウジング１１との正規嵌合状態を検知することができる嵌合検知コネクタとなっている。
【００２８】
図１〜図６に示すように、端子７は、薄板状の導電性材料を打ち抜き加工と折り曲げ加工とを施すことにより、基部２３に対して弾性片５と、接触部３とが設けられる。なお、端子７は、２つの導体間を接続させる短絡端子が用いられることが好ましい。
【００２９】
弾性片５は、基部２３の一端側をコ字状に折り曲げ加工することにより基部２３と連続する一部材で形成され、所定の付勢力を有して弾性変形可能に設けられている。この弾性片５は、基部２３に対して一対の弾性片５，５となるように設けられ、それぞれの先端部には接触部３，３が設けられている。
【００３０】
接触部３は、一対の弾性片５，５の先端部に半円状となるように折り曲げ形成され、基部２３と対向して配置されている。この接触部３は、弾性片５の付勢力によって第２ハウジング１１に収容された相手端子１５の被接触部１３に接触され、端子７と相手端子１５とを電気的に接続させる。
【００３１】
このような端子７は、基部２３が第１ハウジング９のロック部１９に設けられた挿入溝２５に挿入されてロック部１９に支持され、弾性片５と接触部３とが第１ハウジング９内部の収容室２７内に収容配置される。
【００３２】
第１ハウジング９は、合成樹脂などの絶縁性材料からなり、筐体状に形成され、収容室２７と、ロック部１９とを備えている。収容室２７は、第１ハウジング９内部の高さ方向の上側で幅方向の中央部に設けられ、端子７の弾性片５と接触部３とが収容配置されている。また、収容室２７のロック部１９の基端側に位置する壁部には、第２ハウジング１１のリブ２１を挿入可能な開口２９が設けられている。この収容室２７の上方には、ロック部１９が設けられている。
【００３３】
なお、収容室２７の高さ方向の下側と幅方向の両側には、電源や機器などに接続された電線３１の端部に接続された複数の雌端子３３が収容配置される複数の端子収容部３５が設けられている。この複数の端子収容部３５に収容された複数の雌端子３３は、係止ランス３７や端子収容部３５に挿入される二重係止部材３９などと係止することによって抜け止めがなされている。
【００３４】
ロック部１９は、収容室２７の開口２９側を基端として収容室２７の上方に揺動可能に設けられ、挿入溝２５と、係止凸部４１とを備えている。挿入溝２５は、ロック部１９の下面である収容室２７側に設けられ、端子７の基部２３が挿入されて端子７を支持する。このように挿入溝２５に端子７の基部２３を挿入して端子７を支持することにより、ロック部１９の揺動によって端子７の配置位置を変動させることができる。
【００３５】
係止凸部４１は、ロック部１９の上面の中央部に設けられ、第２ハウジング１１との嵌合方向の前側が傾斜面となっており、嵌合方向の後側が垂直面で形成された係止面となっている。この係止凸部４１は、第１ハウジング９と第２ハウジング１１との嵌合時に、傾斜面が第２ハウジング１１の被ロック部１７と当接することによってロック部１９を下方に向けて揺動させ、第１ハウジング９と第２ハウジング１１との正規嵌合時に、係止面がロック部１９の上方への復元によって被ロック部１７に係止される。
【００３６】
なお、ロック部１９の先端側には、操作部４３が設けられており、操作部４３を下方に向けて押圧操作することによってロック部１９が下方に揺動され、係止凸部４１と被ロック部１７との係止が解除され、第１ハウジング９と第２ハウジング１１との嵌合を解除することができる。
【００３７】
第２ハウジング１１は、合成樹脂などの絶縁性材料からなり、筐体状に形成され、フード部４５と、リブ２１とを備えている。フード部４５は、第１ハウジング９との嵌合方向の前側が開口され、第２ハウジング１１の幅方向に、ここでは３つ設けられ、各フード部４５に第１ハウジング９が嵌合可能となっている。また、フード部４５の開口端には、第１ハウジング９のロック部１９の係止凸部４１が当接及び係止される被ロック部１７が下方に向けて延設されている。このフード部４５内には、リブ２１が設けられている。
【００３８】
リブ２１は、フード部４５内において、相手端子１５が挿入される壁部から第１ハウジング９への嵌合方向下流側に向けて延設されている。このリブ２１は、フード部４５内に配置される相手端子１５の被接触部１３を支持し、第１ハウジング９と第２ハウジング１１とを嵌合させることにより、第１ハウジング９の開口２９から収容室２７内に挿入される。
【００３９】
なお、フード部４５には、基板４７に接続されたＬ字状の複数の雄端子４９の接続部が収容配置されている。この複数の雄端子４９は、第１ハウジング９と第２ハウジング１１とが正規嵌合状態となることにより、第１ハウジング９に収容された複数の雌端子３３に電気的に接続される。
【００４０】
相手端子１５は、導電性材料からなり、Ｌ字状に形成され、一端側が基板４７に接続され、他端側がフード部４５内に挿入されてリブ２１に支持される被接触部１３となっている。また、被接触部１３は、端子７の接触部３との接触面を下向きにしてリブ２１に支持されている。このように被接触部１３を配置させることにより、被接触部１３の表面に埃などの不純物が堆積することを抑制することができる。
【００４１】
この相手端子１５は、一対の相手端子１５，１５からなり、基板４７に形成された導通回路にそれぞれ接続され、被接触部１３，１３に端子７の接触部３，３がそれぞれ接触することによって端子７を介して一対の相手端子１５，１５が電気的に接続される。
【００４２】
この一対の相手端子１５，１５は、第１ハウジング９と第２ハウジング１１とが正規嵌合状態となったときに、被接触部１３，１３に端子７の弾性片５，５の付勢力によって接触部３，３が接触されて導通される。この一対の相手端子１５，１５の導通の有無により、第１ハウジング９と第２ハウジング１１との嵌合状態を検知することができる。
【００４３】
このように構成されたコネクタ１は、まず、第１ハウジング９の収容室２７の開口から端子７を挿入し、端子７の基部２３を挿入溝２５に挿入して端子７を収容室２７内に配置する。
【００４４】
次に、各部材が収容配置された第２ハウジング１１と第１ハウジング９とを嵌合させる。このとき、第１ハウジング９の開口２９から第２ハウジング１１のリブ２１が挿入される。
【００４５】
第１ハウジング９と第２ハウジング１１との嵌合開始では、ロック部１９の係止凸部４１が被ロック部１７に当接してロック部１９が揺動を開始し、このロック部１９の揺動によって端子７の配置位置の変動も開始される。
【００４６】
次に、ロック部１９の係止凸部４１が被ロック部１７の頂面に当接されロック部１９の揺動が最大になったときには、端子７の配置位置の変動も最大となる。このとき、端子７の接触部３と基部２３との間には、第２ハウジング１１のリブ２１が配置され、端子７の接触部３と相手端子１５の被接触部１３とが離間した状態となる。これにより、端子７と相手端子１５との導通が防止され、第１ハウジング９と第２ハウジング１１との半嵌合状態を検知することができる。
【００４７】
そして、第１ハウジング９と第２ハウジング１１とが正規嵌合状態となったときには、ロック部１９の係止凸部４１が被ロック部１７に係止され、ロック部１９が上方に向けて復元される。このロック部１９の上方への揺動により、端子７の配置位置も上方に変位され、弾性片５の付勢力によって接触部３が相手端子１５の被接触部１３に接触される。この接触により、端子７を介して一対の相手端子１５，１５が導通され、第１ハウジング９と第２ハウジング１１とが正規嵌合状態となったことを検知することができる。
【００４８】
このように端子７の配置位置の変動によって弾性片５を変位させずに接触部３と相手端子１５の被接触部１３とを接触、或いは接触解除させることにより、図６に示すように、ロック部１９や収容室２７には、端子７の弾性片５を直接的に変位させる部分を設ける必要がない。
【００４９】
このため、端子７の第１ハウジング９への組付時には、第１ハウジング９の収容室２７内に弾性片５と干渉する部分がなく、端子７の組付における弾性片５の過度な変形を防止することができる。
【００５０】
一方、第１ハウジング９と第２ハウジング１１との嵌合時には、弾性片５を変位させる必要がなく、ハウジング９，１１同士の嵌合における弾性片５の過度な変形を防止することができる。
【００５１】
このようなコネクタ１では、ロック部１９の揺動による端子７の配置位置の変動によって接触部３が相手端子１５の被接触部１３に接触されるので、第１ハウジング９と第２ハウジング１１との嵌合時に端子７の弾性片５を変位させる必要がなく、ハウジング９，１１同士の嵌合における弾性片５の過度な変形を防止することができる。
【００５２】
また、第１ハウジング９には、端子７の弾性片５を変位させる部分を設ける必要がないので、端子７の組付時に弾性片５と干渉する部分がなく、端子７の組付における弾性片５の過度な変形を防止することができる。
【００５３】
さらに、第１ハウジング９と第２ハウジング１１との嵌合では、ロック部１９に弾性片５の付勢力が入力される部分がないので、ハウジング９，１１同士の嵌合操作力を低減させることができる。
【００５４】
従って、このようなコネクタ１では、端子７の組付及びハウジング９，１１同士の嵌合における弾性片５の過度な変形を防止し、端子７と相手端子１５との導通不良を防止することができる。
【００５５】
また、相手端子１５の被接触部１３は、端子７の接触部３との接触面を下向きにしてリブ２１に支持されているので、相手端子１５の被接触部１３の接触面に埃などが付着することを抑制でき、端子７の接触部３と相手端子１５の被接触部１３との間の不純物介在による導通不良を防止することができる。
【００５６】
なお、本発明の実施の形態に係るコネクタでは、ロック部の揺動によって端子の配置位置がハウジング同士の嵌合途中で下方に変動され、ハウジング同士の正規嵌合状態で上方に変動されているが、例えば、ハウジング同士の嵌合途中で上方に変動され、ハウジング同士の正規嵌合状態で下方に変動されるなど、ロック部の揺動によって端子の配置位置が変動される構成であれば、端子の配置位置の変動方向はどのような方向であってもよい。
【００５７】
このような端子の配置位置の変動に合わせて、端子の接触部と相手端子の被接触部との接触、或いは接触解除をハウジング同士の正規嵌合状態とハウジング同士の嵌合途中とで行えるように、端子の接触部と相手端子の被接触部とを構成すればよい。
【符号の説明】
【００５８】
１…コネクタ
３…接触部
５…弾性片
７…端子
９…第１ハウジング
１１…第２ハウジング
１３…被接触部
１５…相手端子
１７…被ロック部
１９…ロック部
２１…リブ
２３…基部
【図１】
2014225398.tif 000003
【図２】
2014225398.tif 000004
【図３】
2014225398.tif 000005
【図４】
2014225398.tif 000006
【図５】
2014225398.tif 000007
【図６】
2014225398.tif 000008